(57)【特許請求の範囲】
【請求項１】
水平片の左右両端から上方に垂直片が延びて全体が断面略コ字状に折曲され、垂直片の前後両端から中央部に向かって形成されたＬ字状の切り込みに沿って折曲されることにより、その下部に内方に向かう係合片が突出されてなる大引受け金具と、
方形の水平片の対向する一対の二辺から上方に上垂直片が延び、水平片の他の対向する一対の二辺から下方に下垂直片が延び、各上下垂直片の前後両端から中央部に向かって形成されたＬ字状の切り込みに沿って折曲されることにより、各上下垂直片に内方に向かう係合片が突出されてなる根太固定金具と、
断面略角パイプ状に形成され、大引受け金具の係合片と根太固定金具の係合片とに対応して左右側面の上下にそれぞれ係合凹部が形成された鋼製大引と、
断面略角パイプ状に形成され、根太固定金具の係合片に対応して左右側面の上下にそれぞれ係合凹部が形成された鋼製根太と、を具備し、
コンクリート基礎に大引受け金具が固定され、この大引受け金具の係合片が鋼製大引の下方の係合凹部に係合するように大引受け金具に鋼製大引が嵌め込まれて固定され、
この鋼製大引の上方の係合凹部に根太固定金具の係合片が係合するように鋼製大引に間隔をおいて根太固定金具の下垂直片が嵌め込まれて固定され、
この根太固定金具の上垂直片が鋼製根太の下方の係合凹部に係合するように根太固定金具に鋼製根太が嵌め込まれて固定され、
鋼製根太に断熱材を介して床板が敷設されていることを特徴とする床構造。
【請求項２】
前記鋼製大引は、コンクリート基礎に固定した大引受け金具とともに、連束もしくは土間コンクリートに立設された鋼製束に設けられた大引受け金具に嵌め込んで固定されている請求項１記載の床構造。
【発明の詳細な説明】
【０００１】
【発明の属する技術分野】
本発明は、床構造に関するものである。
【０００２】
【従来の技術】
一般に、建物の床は、コンクリート基礎上に土台を固定し、この土台に直接もしくは大引受けを介して複数本の大引を間隔をおいて載せ架け、この大引に該大引と直交する方向に間隔をおいて複数本の根太を架け渡し、さらに、この根太に床板を敷設することにより形成されるものである。この場合、大引の撓みを防止するため、間隔をおいて複数本の床束を立設し、合わせて大引を支持するようにしている。
【０００３】
【発明が解決しようとする課題】
しかしながら、このような床構造では、木材を使用することから、寸法精度を確保することが困難であり、そりや捩じれが生じやすく、強度上のバラツキも大きい欠点がある。しかも、加工や組み立てに際して専門の熟練技術を必要とするとともに、各部品毎に施工を行わなければならず、多くの作業時間が必要になるという問題があった。
【０００４】
このため、特開平６−１９３１７４号公報に記載されるように、根太を矩形に枠組みして枠体を形成するとともに、その表面に床板を貼設してパネル化し、この床パネルを大引に架設することにより、作業時間を削減した床構造が提案されているが、木材を使用するという基本的な考え方に変わりはなく、上述した欠点の解消には至っていないのが現状である。
【０００５】
本発明は、このような問題点に鑑みてなされたもので、熟練を要することなく簡単に施工することのできる床構造を提供するものである。
【０００６】
【課題を解決するための手段】
前述した目的を達成するために、本発明は、水平片の左右両端から上方に垂直片が延びて全体が断面略コ字状に折曲され、垂直片の前後両端から中央部に向かって形成されたＬ字状の切り込みに沿って折曲されることにより、その下部に内方に向かう係合片が突出されてなる大引受け金具と、方形の水平片の対向する一対の二辺から上方に上垂直片が延び、水平片の他の対向する一対の二辺から下方に下垂直片が延び、各上下垂直片の前後両端から中央部に向かって形成されたＬ字状の切り込みに沿って折曲されることにより、各上下垂直片に内方に向かう係合片が突出されてなる根太固定金具と、断面略角パイプ状に形成され、大引受け金具の係合片と根太固定金具の係合片とに対応して左右側面の上下にそれぞれ係合凹部が形成された鋼製大引と、断面略角パイプ状に形成され、根太固定金具の係合片に対応して左右側面の上下にそれぞれ係合凹部が形成された鋼製根太と、を具備し、コンクリート基礎に大引受け金具が固定され、この大引受け金具の係合片が鋼製大引の下方の係合凹部に係合するように大引受け金具に鋼製大引が嵌め込まれて固定され、この鋼製大引の上方の係合凹部に根太固定金具の係合片が係合するように鋼製大引に間隔をおいて根太固定金具の下垂直片が嵌め込まれて固定され、この根太固定金具の上垂直片が鋼製根太の下方の係合凹部に係合するように根太固定金具に鋼製根太が嵌め込まれて固定され、鋼製根太に断熱材を介して床板が敷設されていることを特徴とするものである。
【０００７】
【発明の実施の形態】
以下、本発明の実施の形態を図面に基づいて説明する。
【０００８】
図１には、本発明の床構造が示されており、この床構造１においては、木製の大引および根太に代えて鋼製大引２および鋼製根太３が採用され、これらの鋼製大引２および鋼製根太３を固定するために大引受け金具４および根太固定金具５が使用されている。
【０００９】
鋼製大引２は、亜鉛メッキ鋼板をロール成形によって断面略角パイプ状に形成したもので、後述する大引受け金具４に形成した係合片４２ａに対応して、また、後述する根太固定金具５に形成した係合片５２ａ，５３ａに対応して左右側面の上下には、それぞれ係合凹部２ａが形成されている。
【００１０】
また、鋼製根太３は、前述した鋼製大引２と同様に、亜鉛メッキ鋼板をロール成形によって断面略角パイプ状に形成したもので、後述する根太固定金具５に形成した係合片５２ａ，５３ａに対応して左右側面の上下には、それぞれ係合凹部３ａが形成されている。
【００１１】
一方、大引受け金具４は、図４および図５に示すように、コンクリート基礎（外周基礎）Ｋに固定されるとともに、連束Ｋ１に立設した鋼製束７に固定されている。この大引受け金具４は、水平片４１と、この水平片４１の左右両端から上方に延びる一対の垂直片４２からなり、全体として断面略コ字状に折曲されている。そして、この大引受け金具４の垂直片４２には、その前後両端から中央部に向かって形成されたＬ字状の切り込み４ｘに沿って折曲することにより、その下部に内方に向かう係合片４２ａが突出されている。また、大引受け金具４の水平片４１の上面には、ゴムパッキンなどの緩衝材Ｃが敷設されており、鋼製大引２を緩衝しつつ支持するようになっている。
【００１２】
この大引受け金具４をコンクリート基礎Ｋに固定する場合には、大引受け金具４を一体に溶着した取り付け金具６が使用される。この取り付け金具６は、断面略Ｌ字状に形成され、その垂直片６１に形成された長孔６１ａをコンクリート基礎Ｋに埋設した取り付けボルトｂに挿通させ、取り付けボルトｂにワッシャｗを介してナットｎを螺合することで固定されるものである。
【００１３】
また、大引受け金具４が固定される鋼製束７は、上下部に逆ネジ（雌ネジ）が形成された受け部材７１と、この受け部材７１に螺合可能な雄ネジを形成した支持部材７２，７３からなり、下方の支持部材７２には接地板７４が固定され、上方の支持部材７３には支持板７５が固定されており、この支持板７５に大引固定金具４が一体に溶着されている。そして、受け部材７１を回転させることにより、受け部材７１に対して上下の支持部材７２，７３を進退させることができ、ナット７６を受け部材７１に締結することで任意の進退位置で固定することができるものである。
【００１４】
この場合、鋼製束７は、連束Ｋ１に設けて例示したが、連束Ｋ１代えて図示しない土間コンクリート部分に立設するようにしてもよい。
【００１５】
一方、根太固定金具５は、図６に示すように、方形の水平片５１と、この水平片５１の対向する一対の二辺から上方に延びる上垂直片５２と、水平片５１の他の対向する一対の二辺から下方に延びる下垂直片５３からなり、各上下垂直片５２，５３の前後両端から中央部に向かって形成されたＬ字状の切り込み５ｘに沿って折曲することにより、各上下垂直片５２，５３に内方に向かう係合片５２ａ，５３ａが突出されている。そして、根太固定金具５の水平片５１の表面および裏面には、それぞれゴムパッキンなどの緩衝材Ｃが敷設されており、鋼製大引２および鋼製根太３を緩衝しつつ支持するようになっている。
【００１６】
なお、床板８は、パーティクルボードなどが使用され、コンクリート基礎Ｋに固定した廻り根太９および鋼製根太３の上面に配設した発泡ポリエチレンなどの断熱材１０を介して敷設されている（図１参照）。
【００１７】
このように構成した床構造１を形成するには、コンクリート基礎Ｋに大引受け金具４と一体の取り付け金具６をボルトナットを介して締結するとともに、連束Ｋ１上に大引受け金具４を一体に備えた鋼製束７を立設する。次いで、これらの大引受け金具４に鋼製大引２を嵌め込むことにより、大引受け金具４の係合片４２ａに鋼製大引２の側面に形成された下方の係合部２ａを係合させ、鋼製大引２の抜け出しを防止して固定する。この際、鋼製束７の受け部材７１を回転させることにより、受け部材７１に螺合された支持部材７２，７３を昇降させ、鋼製大引２の支持面を調整する。鋼製束７の調整作業が終了すれば、ナット７６を締結して廻り止めを行う。
【００１８】
鋼製大引２が固定されたならば、鋼製大引２に間隔をおいて根太固定金具５の下垂直片５３を嵌め込むことにより、その係合片５３ａを鋼製大引２の側面に形成された上方の係合部２ａに係合させ、根太固定金具５の抜け出しを防止しつつ固定する。さらに、鋼製大引２に固定された根太固定金具５の上垂直片５２間に鋼製根太３を嵌め込むことにより、その係合片５２ａに鋼製根太３の側面に形成された下方の係合部３ａを係合させ、鋼製根太３の抜け出しを防止して固定する。次いで、鋼製根太３の上面に断熱材１０を配設した後、床板８を敷設すればよい。
【００１９】
この結果、大引受け金具４に規格化された鋼製大引２を嵌め込むとともに、この鋼製大引２に固定した根太固定金具５に規格化された鋼製根太３を嵌め込むことによって床板８を敷設することができることから、木製大引や木製根太を使用することに伴う欠点を解消することができる。すなわち、規格化された鋼製大引２や鋼製根太３および大引受け金具４や根太固定金具５を使用することで寸法精度を確保することができるとともに、強度が一定となる他、専門の熟練技術を必要とすることなく誰でも施工することができる。そして、規格化された部品を順次嵌め込むといった単純な作業で施工できることから、作業時間を大幅に短縮することが可能となる。
【００２０】
【発明の効果】
以上のように本発明によれば、コンクリート基礎に固定した大引受け金具に鋼製大引を嵌め込んで固定し、この鋼製大引に間隔をおいて嵌め込んで固定した根太固定金具にそれぞれ鋼製根太を鋼製大引と直交する方向に嵌め込んで固定し、さらに、鋼製根太に断熱材を介して床板を敷設したことにより、規格化された鋼製大引や鋼製根太などを使用することで寸法精度を確保することができるとともに、強度が一定となる他、これらの規格化された部品を順次嵌め込むといった簡単な作業でよいことから、専門の熟練技術を必要とすることなく誰でも施工することができ、作業時間を大幅に短縮することが可能となる。
【図面の簡単な説明】
【図１】本発明の床構造を示す断面図である。
【図２】図１のＺ−Ｚ線断面図である。
【図３】本発明の床構造を一部を省略して示す分解斜視図である。
【図４】コンクリート基礎に設けられる大引受け金具を取り付け金具とともに示す斜視図である。
【図５】鋼製束を大引受け金具とともに示す斜視図である。
【図６】根太固定金具を示す斜視図である。
【符号の説明】
２  鋼製大引
２ａ  係合部
３  鋼製根太
３ａ  係合部
４  大引受け金具
４１ａ  係合片
５  根太固定金具
５１ａ  係合片
６  取り付け金具
７  鋼製束
８  床板
Ｋ  コンクリート基礎
Ｋ１  連束
【図１】
0003571444.tif 000002
【図２】
0003571444.tif 000003
【図３】
0003571444.tif 000004
【図４】
0003571444.tif 000005
【図５】
0003571444.tif 000006
【図６】
0003571444.tif 000007